(57)【要約】【課題】同時に視認可能な複数の表示画面が表示するバックライトの色と同じ色についての色度の差を低減することが可能な技術を提供する。【解決手段】電子機器が備える複数の表示部のそれぞれについて、当該表示部が表示する、バックライトの色と同じ色についての色度である対象色度を測定する（ステップｓ１，ｓ２）。その後、複数の表示部のそれぞれについて、当該表示部についての対象色度の測定値に基づいて、当該表示部の対象色度が目標値に近づくように当該対象色度を調整する（ステップｓ３）。【選択図】図８
2012150269.tif 000002
【特許請求の範囲】
【請求項１】
複数の表示部と、
前記複数の表示部の色度を調整する調整部と
を備え、
前記複数の表示部のそれぞれは、表示画面と、所定の色で発光する、当該表示画面を背面側から照らすバックライトとを有し、
前記複数の表示部の表示画面は同時に視認可能であって、
前記調整部は、前記複数の表示部のそれぞれについて、当該表示部が表示する、前記所定の色と同じ色についての色度である対象色度が目標値に近づくように当該対象色度を調整する調整処理を行う、電子機器。
【請求項２】
請求項１に記載の電子機器であって、
前記調整部は、前記複数の表示部のそれぞれについて、当該表示部についてのγ値が変化しないように前記調整処理を行う、電子機器。
【請求項３】
請求項１及び請求項２のいずれか一つに記載の電子機器であって、
前記対象色度が個体によってばらつく範囲が複数の分割エリアに分割され、
前記複数の分割エリアにそれぞれ対応する、前記対象色度を前記目標値に近づけるための複数の調整情報を記憶する記憶部をさらに備え、
前記調整部は、前記複数の表示部のそれぞれについて、当該表示部についての前記対象色度の値が属する分割エリアに対応する調整情報に基づいて前記調整処理を行う、電子機器。
【請求項４】
請求項３に記載の電子機器であって、
前記複数の調整情報のそれぞれは、当該調整情報に対応する分割エリアの代表値と前記目標値とに基づいて求められている、電子機器。
【請求項５】
請求項３及び請求項４のいずれか一つに記載の電子機器であって、
前記調整部は、前記複数の表示部についての前記対象色度の値が属する分割エリアが互いに一致する場合には、前記複数の表示部のそれぞれについて前記調整処理を行わない、電子機器。
【請求項６】
請求項１及び請求項２のいずれか一つに記載の電子機器であって、
前記調整部は、前記複数の表示部のそれぞれについて、当該表示部についての前記対象色度の値と前記目標値とに基づいて、当該表示部の前記対象色度を前記目標値に近づけるための調整情報を生成し、前記複数の表示部のそれぞれについて、当該表示部についての前記調整情報に基づいて前記調整処理を行う、電子機器。
【請求項７】
表示画面と、所定の色で発光する、当該表示画面を背面側から照らすバックライトとをそれぞれが有する複数の表示部を備え、当該複数の表示部の表示画面が同時に視認可能な電子機器についての色度調整方法であって、
（ａ）前記複数の表示部のそれぞれについて、当該表示部が表示する、前記所定の色と同じ色についての色度である対象色度を測定する工程と、
（ｂ）前記複数の表示部のそれぞれについて、前記工程（ａ）で得られる、当該表示部についての測定値に基づいて、当該表示部の前記対象色度が目標値に近づくように当該対象色度を調整する調整処理を行う工程と
を備える、色度調整方法。
【請求項８】
請求項７に記載の色度調整方法であって、
前記工程（ｂ）では、前記複数の表示部のそれぞれについて、当該表示部についてのγ値が変化しないように前記調整処理が行われる、色度調整方法。
【請求項９】
請求項７及び請求項８のいずれか一つに記載の色度調整方法であって、
前記対象色度が個体によってばらつく範囲が複数の分割エリアに分割され、当該複数の分割エリアにそれぞれ対応する、前記対象色度を前記目標値に近づけるための複数の調整情報が準備されており、
前記工程（ｂ）では、
前記複数の表示部のそれぞれについて、当該表示部についての前記測定値が属する分割エリアに対応する調整情報に基づいて前記調整処理が行われる、色度調整方法。
【請求項１０】
請求項９に記載の色度調整方法であって、
前記工程（ｂ）では、
前記複数の表示部のそれぞれについて、当該表示部についての前記測定値が属する分割エリアに対応する調整情報が前記電子機器に記憶され、前記電子機器では、前記複数の表示部のそれぞれの表示が、当該表示部についての調整情報に基づいて制御される、色度調整方法。
【請求項１１】
請求項９に記載の色度調整方法であって、
前記電子機器は、前記複数の調整情報を記憶し、
前記工程（ｂ）では、
前記複数の表示部のそれぞれについて、当該表示部についての前記測定値が属する分割エリアを示す分割エリア特定情報が前記電子機器に記憶され、前記電子機器では、前記複数の表示部のそれぞれの表示が、当該表示部についての前記分割エリア特定情報が示す分割エリアに対応する調整情報に基づいて制御される、色度調整方法。
【請求項１２】
請求項９に記載の色度調整方法であって、
前記電子機器は、前記複数の調整情報を記憶し、
前記工程（ｂ）では、
前記複数の表示部のそれぞれについての前記測定値が前記電子機器に記憶され、前記電子機器では、前記複数の表示部のそれぞれの表示が、当該表示部についての前記測定値が属する分割エリアに対応する調整情報に基づいて制御される、色度調整方法。
【請求項１３】
請求項９乃至請求項１２のいずれか一つに記載の色度調整方法であって、
前記複数の調整情報のそれぞれは、当該調整情報に対応する分割エリアの代表値と前記目標値とに基づいて求められている、色度調整方法。
【請求項１４】
請求項９乃至請求項１３のいずれか一つに記載の色度調整方法であって、
前記複数の表示部についての前記測定値が属する分割エリアが、互いに一致する場合には、前記工程（ｂ）では、前記複数の表示部のそれぞれについて前記調整処理が行われない、色度調整方法。
【請求項１５】
請求項７及び請求項８のいずれか一つに記載の色度調整方法であって、
前記工程（ｂ）では、
前記複数の表示部のそれぞれについて、当該表示部についての前記測定値と前記目標値とに基づいて、当該表示部の前記対象色度を前記目標値に近づけるための調整情報が生成され、前記複数の表示部のそれぞれについて、当該表示部についての前記調整情報に基づいて前記調整処理が行われる、色度調整方法。
【請求項１６】
請求項１５に記載の色度調整方法であって、
前記工程（ｂ）では、
前記複数の表示部のそれぞれについての前記調整情報が前記電子機器に記憶され、前記電子機器では、前記複数の表示部のそれぞれの表示が、当該表示部についての前記調整情報に基づいて制御される、色度調整方法。
【請求項１７】
請求項１５に記載の色度調整方法であって、
前記工程（ｂ）では、
前記複数の表示部のそれぞれについての前記測定値が前記電子機器に記憶され、前記電子機器では、前記複数の表示部のそれぞれについて、当該表示部についての前記測定値と前記目標値とに基づいて前記調整情報が生成され、前記電子機器では、前記複数の表示部のそれぞれの表示が、当該表示部についての前記調整情報に基づいて制御される、色度調整方法。
【発明の詳細な説明】
【技術分野】
【０００１】
本発明は、電子機器が表示する所定の色についての色度を調整する技術に関する。
【背景技術】
【０００２】
従来から電子機器に関して様々な技術が提案されている。例えば特許文献１には、電子機器の一種である携帯電話機に関する技術が開示されている。
【先行技術文献】
【特許文献】
【０００３】
【特許文献１】特開２００７−２６４１２４号公報
【発明の概要】
【発明が解決しようとする課題】
【０００４】
特許文献１に記載されているように、電子機器においては、バックライト方式の表示部が使用されることがある。このような表示部において、バックライトの色度に個体によるばらつきがあると、表示部が表示する色についての色度も個体によってばらつくことになる。複数のバックライト方式の表示部を、それらの表示画面が同時に視認できるように備える電子機器においては、各表示部でのバックライトの色度のばらつきにより、複数の表示部に表示される同じ色についての色度が互いに異なるようになる。特に、複数の表示部が、バックライトの色と同じ色を表示する場合には、当該複数の表示部の間での当該色の色度の差が顕著になり、当該複数の表示部の表示画面を見るユーザに対して違和感を与えることがある。複数の表示部にわたって１枚の画像を表示する場合には、この違和感が顕著になる。
【０００５】
そこで、本発明は上述の点に鑑みて成されたものであり、同時に視認可能な複数の表示画面が表示するバックライトの色と同じ色についての色度の差を低減することが可能な技術を提供することを目的とする。
【課題を解決するための手段】
【０００６】
上記課題を解決するため、本発明に係る電子機器は、複数の表示部と、前記複数の表示部の色度を調整する調整部とを備え、前記複数の表示部のそれぞれは、表示画面と、所定の色で発光する、当該表示画面を背面側から照らすバックライトとを有し、前記複数の表示部の表示画面は同時に視認可能であって、前記調整部は、前記複数の表示部のそれぞれについて、当該表示部が表示する、前記所定の色と同じ色についての色度である対象色度が目標値に近づくように当該対象色度を調整する。
【０００７】
また、本発明に係る電子機器の一態様では、前記調整部は、前記複数の表示部のそれぞれについて、当該表示部についてのγ値が変化しないように前記調整処理を行う。
【０００８】
また、本発明に係る電子機器の一態様では、前記対象色度が個体によってばらつく範囲が複数の分割エリアに分割され、前記複数の分割エリアにそれぞれ対応する、前記対象色度を前記目標値に近づけるための複数の調整情報を記憶する記憶部がさらに設けられ、前記調整部は、前記複数の表示部のそれぞれについて、当該表示部についての前記対象色度の値が属する分割エリアに対応する調整情報に基づいて前記調整処理を行う。
【０００９】
また、本発明に係る電子機器の一態様では、前記複数の調整情報のそれぞれは、当該調整情報に対応する分割エリアの代表値と前記目標値とに基づいて求められている。
【００１０】
また、本発明に係る電子機器の一態様では、前記調整部は、前記複数の表示部についての前記対象色度の値が属する分割エリアが互いに一致する場合には、前記複数の表示部のそれぞれについて前記調整処理を行わない。
【００１１】
また、本発明に係る電子機器の一態様では、前記調整部は、前記複数の表示部のそれぞれについて、当該表示部についての前記対象色度の値と前記目標値とに基づいて、当該表示部の前記対象色度を前記目標値に近づけるための調整情報を生成し、前記複数の表示部のそれぞれについて、当該表示部についての前記調整情報に基づいて前記調整処理を行う。
【００１２】
また、本発明に係る色度調整方法は、表示画面と、所定の色で発光する、当該表示画面を背面側から照らすバックライトとをそれぞれが有する複数の表示部を備え、当該複数の表示部の表示画面が同時に視認可能な電子機器についての色度調整方法であって、（ａ）前記複数の表示部のそれぞれについて、当該表示部が表示する、前記所定の色と同じ色についての色度である対象色度を測定する工程と、（ｂ）前記複数の表示部のそれぞれについて、前記工程（ａ）で得られる、当該表示部についての測定値に基づいて、当該表示部の前記対象色度が目標値に近づくように当該対象色度を調整する調整処理を行う工程とを備える。
【００１３】
また、本発明に係る色度調整方法の一態様では、前記工程（ｂ）では、前記複数の表示部のそれぞれについて、当該表示部についてのγ値が変化しないように前記調整処理が行われる。
【００１４】
また、本発明に係る色度調整方法の一態様では、前記対象色度が個体によってばらつく範囲が複数の分割エリアに分割され、当該複数の分割エリアにそれぞれ対応する、前記対象色度を前記目標値に近づけるための複数の調整情報が準備されており、前記工程（ｂ）では、前記複数の表示部のそれぞれについて、当該表示部についての前記測定値が属する分割エリアに対応する調整情報に基づいて前記調整処理が行われる。
【００１５】
また、本発明に係る色度調整方法の一態様では、前記工程（ｂ）では、前記複数の表示部のそれぞれについて、当該表示部についての前記測定値が属する分割エリアに対応する調整情報が前記電子機器に記憶され、前記電子機器では、前記複数の表示部のそれぞれの表示が、当該表示部についての調整情報に基づいて制御される。
【００１６】
また、本発明に係る色度調整方法の一態様では、前記電子機器は、前記複数の調整情報を記憶し、前記工程（ｂ）では、前記複数の表示部のそれぞれについて、当該表示部についての前記測定値が属する分割エリアを示す分割エリア特定情報が前記電子機器に記憶され、前記電子機器では、前記複数の表示部のそれぞれの表示が、当該表示部についての前記分割エリア特定情報が示す分割エリアに対応する調整情報に基づいて制御される。
【００１７】
また、本発明に係る色度調整方法の一態様では、前記電子機器は、前記複数の調整情報を記憶し、前記工程（ｂ）では、前記複数の表示部のそれぞれについての前記測定値が前記電子機器に記憶され、前記電子機器では、前記複数の表示部のそれぞれの表示が、当該表示部についての前記測定値が属する分割エリアに対応する調整情報に基づいて制御される。
【００１８】
また、本発明に係る色度調整方法の一態様では、前記複数の調整情報のそれぞれは、当該調整情報に対応する分割エリアの代表値と前記目標値とに基づいて求められている。
【００１９】
また、本発明に係る色度調整方法の一態様では、前記複数の表示部についての前記測定値が属する分割エリアが、互いに一致する場合には、前記工程（ｂ）では、前記複数の表示部のそれぞれについて前記調整処理が行われない。
【００２０】
また、本発明に係る色度調整方法の一態様では、前記工程（ｂ）では、前記複数の表示部のそれぞれについて、当該表示部についての前記測定値と前記目標値とに基づいて、当該表示部の前記対象色度を前記目標値に近づけるための調整情報が生成され、前記複数の表示部のそれぞれについて、当該表示部についての前記調整情報に基づいて前記調整処理が行われる。
【００２１】
また、本発明に係る色度調整方法の一態様では、前記工程（ｂ）では、前記複数の表示部のそれぞれについての前記調整情報が前記電子機器に記憶され、前記電子機器では、前記複数の表示部のそれぞれの表示が、当該表示部についての前記調整情報に基づいて制御される。
【００２２】
また、本発明に係る色度調整方法の一態様では、前記工程（ｂ）では、前記複数の表示部のそれぞれについての前記測定値が前記電子機器に記憶され、前記電子機器では、前記複数の表示部のそれぞれについて、当該表示部についての前記測定値と前記目標値とに基づいて前記調整情報が生成され、前記電子機器では、前記複数の表示部のそれぞれの表示が、当該表示部についての前記調整情報に基づいて制御される。
【発明の効果】
【００２３】
本発明によれば、同時に視認可能な複数の表示画面が表示するバックライトの色と同じ色についての色度の差を低減することができる。
【図面の簡単な説明】
【００２４】
【図１】実施の形態に係る電子機器の外観を示す斜視図である。
【図２】実施の形態に係る電子機器の外観を示す斜視図である。
【図３】実施の形態に係る電子機器の外観を示す斜視図である。
【図４】実施の形態に係る電子機器の外観を示す斜視図である。
【図５】実施の形態に係る電子機器の電気的構成を示すブロック図である。
【図６】実施の形態に係る表示部の構成を示す図である。
【図７】白色ＬＥＤ及び表示部についての色度の個体によるばらつき範囲を示す図である。
【図８】実施の形態に係る色度調整方法を示すフローチャートである。
【図９】実施の形態に係る色度調整方法を示すフローチャートである。
【図１０】実施の形態に係る色度調整方法を示すフローチャートである。
【図１１】実施の形態に係る色度調整方法を示すフローチャートである。
【図１２】白色色度ばらつき範囲を複数の分割エリアに分割する様子を示す図である。
【図１３】白色色度ばらつき範囲を複数の分割エリアに分割する様子を示す図である。
【図１４】白色色度ばらつき範囲を複数の分割エリアに分割する様子を示す図である。
【図１５】目標値と各分割エリアに設定された代表値とを示す図である。
【図１６】目標値と各分割エリアに設定された代表値とを示す図である。
【図１７】実施の形態に係る調整情報を生成する方法を示すフローチャートである。
【図１８】実施の形態に係る調整情報を生成する際に求められる各値の数値例を示す図である。
【図１９】Ｒ成分の最高輝度が調整される様子を示す図である。
【図２０】Ｇ成分の最高輝度が調整される様子を示す図である。
【図２１】Ｂ成分の最高輝度が調整される様子を示す図である。
【図２２】図１５の例における各色成分の最高輝度の調整量を示す図である。
【図２３】図１６の例における各色成分の最高輝度の調整量を示す図である。
【発明を実施するための形態】
【００２５】
本発明は、電子機器が表示する所定の色の色度を調整する技術に関するものである。最初に色度調整の対象となる電子機器について説明する。
【００２６】
＜電子機器の外観＞
図１〜４は、本実施の形態に係る電子機器１００の外観を示す斜視図である。電子機器１００は、例えば、開閉可能な携帯電話機であって、第１筐体１と第２筐体２とを備えている。図１は、閉じた状態の電子機器１００を第１筐体１側から見た場合の図であり、図２は、閉じた状態の電子機器１００を第２筐体２側から見た場合の図である。図３，４は、開いた状態の電子機器１００を示している。
【００２７】
ここで、電子機器１００が閉じた状態とは、図１，２に示されるように、第１筐体１に設けられた第１表示部３ａの第１表示画面４ａが露出した状態で、第１筐体１と第２筐体２とが互いに重なるように配置された状態である。この場合、第１表示画面４ａと、第２筐体２に設けられた第２表示部３ｂの第２表示画面４ｂとは、間を開けて重なり合った状態となるので、両者のなす角度は０度と言うことができる。
【００２８】
一方で、電子機器１００が開いた状態とは、図３，４に示されるように、第１表示部３ａの第１表示画面４ａと、第２表示部３ｂの第２表示画面４ｂとが、同時に視認可能となるように、第１筐体１と第２筐体２とが重ならないように配置された状態である。図３に示される電子機器１００は、第１表示画面４ａ及び第２表示画面４ｂが１８０度を成すように、言い換えれば、同一平面状に位置するように開いており、図４に示される電子機器１００は、第１表示画面４ａ及び第２表示画面４ｂが０度よりも大きく１８０度よりも小さい角度を成すように開いている。
【００２９】
第１筐体１と第２筐体２とは、ヒンジ部５及びアーム部６によって連結されている。ヒンジ部５は、第２筐体２に設けられている。アーム部６は、第２筐体２に対して角度変更可能となるようにヒンジ部５に接続されている。また、アーム部６は、第１筐体１に対して角度変更可能となるように当該第１筐体１に接続されている。電子機器１００では、ヒンジ部５及びアーム部６の働きによって、図１，２の状態から図４の状態に遷移することができ、図４の状態から図３の状態に遷移することができる。また、電子機器１００は、ヒンジ部５及びアーム部６の働きによって、図３の状態から図４の状態へ、図４の状態から図１，２の状態へ遷移することが可能である。
【００３０】
第１筐体１には、第１表示部３ａ以外にも、音声出力部７及び音声入力部８が設けられている。音声出力部７はスピーカを有しており、音声入力部８はマイクを有している。
【００３１】
＜電気的構成＞
図５は電子機器１００の電気的構成を示すブロック図である。図５に示されるように、電子機器１００は、上述の第１表示部３ａ、第２表示部３ｂ、音声出力部７及び音声入力部８以外にも、制御部１０と、無線通信部１１と、記憶部１２とを備えている。
【００３２】
制御部１０は、ＣＰＵ（Central Processing Unit）及びＤＳＰ（Digital Signal Processor）などで構成されており、電子機器１００の他の構成要素を制御することによって、電子機器１００の動作を統括的に管理する。記憶部１２は、ＲＯＭ（Read Only Memory）及びＲＡＭ（Random Access Memory）等で構成されている。制御部１０の各種機能は、制御部１０のＣＰＵ及びＤＳＰが記憶部１２内の各種プログラムを実行することによって実現される。
【００３３】
無線通信部１１は、電子機器１００とは別の携帯電話機や、インターネットに接続されたウェブサーバ等の通信装置からの信号をアンテナ１１ａで受信する。無線通信部１１は、受信信号に対して増幅処理やダウンコンバートを行って制御部１０に出力する。制御部１０は、入力された受信信号に対して復調処理等を行って、当該受信信号に含まれる、音声データ等の各種データを取得する。また無線通信部１１は、制御部１０で生成された、音声データ等を含む送信信号に対してアップコンバートや増幅処理を行って、処理後の送信信号をアンテナ１１ａを通じて、電子機器１００とは別の携帯電話機や、インターネットに接続された通信装置に対して無線送信する。
【００３４】
音声出力部７は、制御部１０からの音声データを音声に変換して外部に出力する。音声入力部８は、外部から入力される音声を音声データに変換して制御部１０に出力する。
【００３５】
第１表示部３ａと第２表示部３ｂとは同様の構成を有している。以後、第１表示部３ａと第２表示部３ｂとを特に区別する必要がない場合には、それぞれを「表示部３」と呼ぶ。また、第１表示画面４ａと第２表示画面４ｂとを特に区別する必要がない場合には、それぞれを「表示画面４」と呼ぶ。
【００３６】
各表示部３は、例えば、カラー表示を行うバックライト方式の液晶表示部であって、制御部１０から入力される画像信号に基づいて、文字、記号、図形などの各種情報を表示する。また、各表示部３は、タッチパネル機能を有しており、その表示画面４に対するユーザの指の操作に応じた操作信号を制御部１０に出力する。ユーザは、各表示部３の表示画面４に対して操作を行うことによって、様々な情報を電子機器１００に入力することが可能となっている。
【００３７】
図６は各表示部３の構成を示す図である。図６に示されるように、表示部３は、液晶表示パネル３０と、導光板３１と、所定の色で発光するバックライト３２と、表示制御部３３とを備えている。
【００３８】
バックライト３２は、例えば、複数の白色ＬＥＤ（Light Emitting Diode）３２ａで構成されている。なお、図６では、複数の白色ＬＥＤ３２ａのうちの一つだけが示されている。導光板３１は、液晶表示パネル３０の背面側に配置されており、複数の白色ＬＥＤ３２ａが発する白色光ＷＬを、液晶表示パネル３０に向けて導光する。これにより、液晶表示パネル３０の表示面、つまり表示部３の表示画面４には、その背面側から、バックライト３２が発する白色光ＷＬが照射される。
【００３９】
表示制御部３３は、制御部１０から入力される画像信号に基づいて駆動信号を生成し、当該駆動信号を液晶表示パネル３０に与えることによって、液晶表示パネル３０の表示を制御する。
【００４０】
＜色度調整方法＞
次に、上述のような構成を備える電子機器１００を対象とした、本実施の形態に係る色度調整方法について説明する。
【００４１】
上述のように、電子機器１００においては、表示部３の表示画面がバックライト３２で照らされている。バックライト３２を構成する白色ＬＥＤ３２ａの色度は、個体によってばらつくことから、バックライト３２の色度も個体によってばらつくことになる。表示部３が、バックライト３２の発光色と同じ色（本実施の形態では白色）を表示する際には、その同じ色の色度については、バックライト３２の色度の影響を大きく受けることから、バックライト３２の色度が個体よってばらつくと、表示部３が表示する、バックライト３２の発光色と同じ色についての色度も個体によってばらつくことになる。
【００４２】
図７は、白色ＬＥＤ３２ａの色度が個体によってばらつく範囲と、表示部３が表示する、バックライト３２の発光色と同じ色、つまり白色についての色度が個体によってばらつく範囲とを示す図である。以後、色度が個体によってばらつく範囲を「色度ばらつき範囲」と呼ぶ。また、表示部３が表示する白色についての色度ばらつき範囲を特に「白色色度ばらつき範囲」と呼ぶ。また、表示部３が表示する白色の色度を単に「白色色度」と呼ぶことがある。図７では、色度ばらつき範囲がＣＩＥ（国際照明委員会）の色度図に示されている。
【００４３】
一般的に、白色ＬＥＤについては、「ランク」と呼ばれる指標によって色度ばらつき範囲が規定されている。あるランクの色度ばらつき範囲と、それとは別のランクの色度ばらつき範囲とは異なっている。図７には、あるランク（仮に「ランクＡ」と呼ぶ）の白色ＬＥＤについての色度ばらつき範囲２００Ａと、それとは別のランク（仮に「ランクＢ」と呼ぶ）の白色ＬＥＤについての色度ばらつき範囲２００Ｂとが示されている。また、図７には、ランクＡの複数の白色ＬＥＤ３２ａで構成されたバックライト３２を有する表示部３についての白色色度ばらつき範囲３００Ａと、ランクＢの複数の白色ＬＥＤ３２ａで構成されたバックライト３２を有する表示部３についての白色色度ばらつき範囲３００Ｂとが示されている。
【００４４】
図７に示されるように、バックライト３２の白色ＬＥＤ３２ａの色度がばらつくと、表示部３についての白色色度も似たようにばらつくことになる。なお、図７に示される、白色ＬＥＤについての色度ばらつき範囲２００Ａ，２００Ｂについては、デバイスメーカが規定するランクに基づいて定まる範囲である。また、表示部３についての白色色度ばらつき範囲３００Ａ，３００Ｂについては、電子機器１００に搭載する白色ＬＥＤ３２ａを変更しながら表示部３の白色色度を実測することによって定まる範囲である。
【００４５】
ここで、本実施の形態に係る電子機器１００は、上述の図３，４に示されるように、第１表示部３ａの第１表示画面４ａと第２表示部３ｂの第２表示画面４ｂとが同時に視認可能となるような状態で使用されることがある。第１表示部３ａ及び第２表示部３ｂのそれぞれについて、当該表示部３が表示する、バックライト３２の発光色と同じ色についての色度が個体によってばらつくと、同じ電子機器１００において、第１表示部３ａが表示する、バックライト３２の発光色と同じ色についての色度と、第２表示部３ｂが表示する、バックライト３２の発光色と同じ色についての色度とに差が生じることがある。このような場合には、第１表示部３ａの第１表示画面４ａと第２表示部３ｂの第２表示画面４ｂと０を同時に見ながら電子機器１００を使用するユーザは画面表示に違和感を覚える。特に、この違和感は、第１表示部３ａと第２表示部３ｂにわたって、１枚の画像を表示する際には顕著になる。
【００４６】
そこで、本実施の形態では、第１表示部３ａ及び第２表示部３ｂのそれぞれについて、当該表示部３が表示する、バックライト３２の色と同じ色についての色度を調整することによって、両方の色度の差を小さくし、ユーザが第１表示画面４ａ及び第２表示画面４ｂを同時に見た際に感じる違和感を低減する色度調整方法を提案する。以下に、本実施の形態に係る色度調整方法について詳細に説明する。
【００４７】
図８は本実施の形態に係る色度調整方法を示すフローチャートである。本実施の形態に係る色度調整方法は、例えば、電子機器１００の製造工程において実施される。
本実施の形態では、ランクＡの白色ＬＥＤ３２ａを使用して電子機器１００を製造しても良いし、ランクＢの白色ＬＥＤ３２ａを使用して電子機器１００を製造しても良いものとする。ただし、一つの電子機器１００においては、必ず同一ランクの白色ＬＥＤ３２ａを使用するものとする。したがって、一つの電子機器１００においては、第１表示部３ａのバックライト３２と、第２表示部３ｂのバックライト３２とは、同じランクの白色ＬＥＤ３２ａで構成される。第１表示部３ａ及び第２表示部３ｂのバックライト３２がランクＡの白色ＬＥＤ３２ａで構成された場合には、第１表示部３ａ及び第２表示部３ｂについての白色色度ばらつき範囲は、図７に示される「白色色度ばらつき範囲３００Ａ」となる。一方で、第１表示部３ａ及び第２表示部３ｂのバックライト３２がランクＢの白色ＬＥＤ３２ａで構成された場合には、第１表示部３ａ及び第２表示部３ｂについての白色色度ばらつき範囲は、図７に示される「色度ばらつき範囲３００Ｂ」となる。
【００４８】
電子機器１００の製造工程において、第１表示部３ａ及び第２表示部３ｂの組み立てが完了すると、図８に示されるように、ステップｓ１において、第１表示部３ａについての白色色度が測定器によって測定される。次にステップｓ２において、第２表示部３ｂについての白色色度が測定器によって測定される。
【００４９】
ステップｓ２が実行されて、電子機器１００の組み立てが完了すると、ステップｓ３において、ステップｓ１で得られた測定値に基づいて、第１表示部３ａの白色色度が目標値に近づくように当該白色色度が調整され、ステップｓ２で得られた測定値に基づいて、第２表示部３ｂの白色色度が目標値に近づくように当該白色色度が調整される。このように、第１表示部３ａの白色色度と、第２表示部３ｂの白色色度とを目標値に近づけることによって、両方の白色色度の差を低減することができる。
【００５０】
次にステップｓ３での処理について詳細に説明する。本実施の形態では、表示部３についての白色色度ばらつき範囲が複数の分割エリアに分割されており、表示部３の白色色度を調整して当該白色色度を目標値に近づけるための調整情報が、予め各分割エリアに対応して個別に準備されている。そして、電子機器１００では、複数の分割エリアのうち、表示部３の白色色度の測定値が属する分割エリアに対応する調整情報に基づいて、当該表示部３での表示が制御されるようになっている。なお、分割エリア及び調整情報の詳細については後で説明する。
【００５１】
本実施の形態では、ステップｓ３での処理の例として３つの例を提案する。図９〜１１は、当該３つの例をそれぞれ示すフローチャートである。まず図９の処理例について説明する。
【００５２】
図９に示されるように、ステップｓ３０において、ステップｓ１で得られた、第１表示部３ａについての測定値が属する分割エリアが特定される。次にステップｓ３１において、ステップｓ２で得られた、第２表示部３ｂについての測定値が属する分割エリアが特定される。ステップｓ３０，ｓ３１においては、作業員が測定値に属する分割エリアを特定しても良いし、測定値が入力されたコンピュータが、当該測定値に属する分割エリアを特定しても良い。
【００５３】
ステップｓ３１が実行されると、ステップｓ３２において、ステップｓ３０で特定された分割エリアに対応する調整情報と、ステップｓ３１で特定された分割エリアに対応する調整情報とが、電子機器１００に接続されたコンピュータによって、当該電子機器１００の記憶部１２に記憶される。
【００５４】
なお、記憶部１２に調整情報を記憶する方法はこれに限定されない。例えば、タッチパネル機能を有する表示部３の表示画面４をユーザが操作することによって、電子機器１００に調整情報を入力し、当該調整情報が記憶部１２に記憶されるようにしても良い。また、電子機器１００が、ハードウェアキーを備える場合には、当該ハードウェアキーをユーザが操作することによって、電子機器１００に調整情報を入力し、当該調整情報が記憶部１２に記憶されるようにしても良い。
【００５５】
その後、動作確認のために電子機器１００に電源が投入されると、ステップｓ３３において、電子機器１００では、各表示部３での表示が、記憶部１２に記憶されている、当該表示部３に対応する調整情報に基づいて制御される。具体的には、各表示部３では、表示制御部３３が、対応する調整情報を制御部１０を通じて記憶部１２から読み出し、当該調整情報に基づいて液晶表示パネル３０の表示を制御する。これにより、各表示部３では、目標値に近い色度を有する白色が表示される。その後、動作確認が行われた電子機器１００は製品出荷される。出荷後の電子機器１００では、各表示部３の表示が、それに対応する調整情報に基づいて制御されることになる。
【００５６】
次に図１０の処理例について説明する。図１０の処理例が採用される場合には、電子機器１００が組み立てられた時点において、電子機器１００の記憶部１２には、複数の分割エリアにそれぞれ対応する複数の調整情報と、当該複数の調整情報と複数の分割エリアとの対応関係を示す対応関係情報とが記憶されている。
【００５７】
図１０に示されるように、上述のステップｓ３０，ｓ３１が実行されて、ステップｓ１で得られた、第１表示部３ａについての測定値が属する分割エリアと、ステップｓ２で得られた、第２表示部３ｂについての測定値が属する分割エリアとが特定される。そして、ステップｓ３４において、ステップｓ３０で特定された分割エリアを示す第１分割エリア特定情報と、ステップｓ３１で特定された分割エリアを示す第２分割エリア特定情報とが、電子機器１００に接続されたコンピュータによって当該電子機器１００の記憶部１２に記憶される。
【００５８】
なお、記憶部１２に第１及び第２分割エリア特定情報を記憶する方法についても、これに限定されない。例えば、表示画面４をユーザが操作することによって、第１及び第２分割エリア特定情報が記憶部１２に記憶されるようにしても良い。また、電子機器１００が、ハードウェアキーを備える場合には、当該ハードウェアキーをユーザが操作することによって、第１及び第２分割エリア特定情報が記憶部１２に記憶されるようにしても良い。
【００５９】
その後、動作確認のために電子機器１００に電源が投入されると、ステップｓ３５において、制御部１０が記憶部１２から第１分割エリア特定情報を読み出す。そして、制御部１０は、記憶部１２内の対応関係情報を参照して、読み出した第１分割エリア特定情報が示す分割エリアに対応する調整情報を特定し、当該調整情報を記憶部１２から読み出して第１表示部３ａに入力する。また、制御部１０は、記憶部１２から第２分割エリア特定情報を読み出す。そして、制御部１０は、記憶部１２内の対応関係情報を参照して、読み出した第２分割エリア特定情報が示す分割エリアに対応する調整情報を特定し、当該調整情報を記憶部１２から読み出して第２表示部３ｂに入力する。
【００６０】
次にステップｓ３６において、電子機器１００の各表示部３では、表示制御部３３が、入力された調整情報に基づいて液晶表示パネル３０の表示を制御する。これにより、各表示部３では、目標値に近い色度を有する白色が表示される。その後、動作確認が行われた電子機器１００は製品出荷される。出荷後の電子機器１００では、各表示部３の表示が、それに対応する調整情報に基づいて制御されることになる。
【００６１】
次に図１１の処理例について説明する。図１１の処理例が採用される場合には、電子機器１００が組み立てられた時点において、電子機器１００の記憶部１２には、各分割エリアの範囲を示す分割エリア範囲特定情報と、複数の分割エリアにそれぞれ対応する複数の調整情報と、当該複数の調整情報と複数の分割エリアとの対応関係を示す対応関係情報とが記憶されている。
【００６２】
図１１に示されるように、ステップｓ３７において、ステップｓ１及びｓ２で得られた各表示部３についての測定値が、電子機器１００に接続されたコンピュータによって当該電子機器１００の記憶部１２に記憶される。測定値の記憶部１２へ記憶方法についてもこれに限定されず、例えば、表示画面４をユーザが操作することによって、測定値が記憶部１２に記憶されるようにしても良い。また、電子機器１００が、ハードウェアキーを備える場合には、当該ハードウェアキーをユーザが操作することによって、測定値が記憶部１２に記憶されるようにしても良い。
【００６３】
その後、動作確認のために電子機器１００に電源が投入されると、ステップｓ３８において、制御部１０は、第１表示部３ａについての測定値を記憶部１２から読み出して、当該測定値が属する分割エリアを、記憶部１２内の分割エリア範囲特定情報を参照して特定する。また、制御部１０は、第２表示部３ｂについての測定値を記憶部１２から読み出して、当該測定値が属する分割エリアを、記憶部１２内の分割エリア範囲特定情報を参照して特定する。
【００６４】
次にステップｓ３９において、制御部１０は、第１表示部３ａについて、特定した分割エリアに対応する調整情報を、記憶部１２内の対応関係情報を参照して特定し、当該調整情報を記憶部１２から読み出して第１表示部３ａに入力する。また、制御部１０は、第２表示部３ｂについて、特定した分割エリアに対応する調整情報を、記憶部１２内の対応関係情報を参照して特定し、当該調整情報を記憶部１２から読み出して第２表示部３ｂに入力する。
【００６５】
次に、上述のステップｓ３６が実行されて、各表示部３では、表示制御部３３が、入力された調整情報に基づいて液晶表示パネル３０の表示を制御する。これにより、各表示部３では、目標値に近い色度を有する白色が表示される。その後、動作確認が行われた電子機器１００は製品出荷される。出荷後の電子機器１００では、各表示部３の表示が、それに対応する調整情報に基づいて制御されることになる。
以上のように、本実施の形態では、３つの方法によって各表示部３の白色色度を調整することが可能である。
【００６６】
なお、上記の例では、本実施の形態に係る色度調整方法を、電子機器１００の製造工程において実施しているが、他の状況において適宜実施しても良い。例えば、電子機器１００を出荷した後に修理する場合に、本実施の形態に係る色度調整方法が実施されても良い。また、電子機器１００のユーザが各表示部３の白色色度を調整したい場合に、本実施の形態に係る色度調整方法が実施されても良い。この場合には、上述のステップｓ１では、ユーザが測定器を用いて第１表示部３ａの白色色度を測定し、上述のステップｓ２では、ユーザが測定器を用いて第２表示部３ｂの白色色度を測定する。そして、上述のステップｓ３では、ユーザが、電子機器１００に接続されたコンピュータを操作することによって、あるいは電子機器１００を操作することによって、電子機器１００に対して、調整情報（図９の例）、第１及び第２分割エリア特定情報（図１０の例）、あるいは各表示部３の白色色度の測定値（図１１の例）を入力する。
【００６７】
＜白色色度ばらつき範囲の分割方法＞
図１２は、図７に示される白色色度ばらつき範囲３００Ａを複数の分割エリア５００で分割する様子を示す図である。本実施の形態では、長方形の単位領域４００を考えて、複数の単位領域４００を白色色度ばらつき範囲の全領域を埋めるように並べる。そして、一つの単位領域４００における、白色色度ばらつき領域内の部分を、一つの分割エリア５００とすることによって、白色色度ばらつき領域を複数の分割エリア５００に分けている。
【００６８】
図１２の例では、第１単位領域４００ａ〜第６単位領域４００ｆの６つの単位領域４００が重ならないように白色色度ばらつき範囲３００Ａの全領域を埋めるように配置されている。これにより、白色色度ばらつき範囲３００Ａが、第１単位領域４００ａ〜第６単位領域４００ｆにそれぞれ対応した第１分割エリア５００ａ〜第６分割エリア５００ｆに分けられている。
【００６９】
図１３は、白色色度ばらつき範囲３００Ｂを複数の分割エリア５００で分割するために複数の単位領域４００を配置した様子を示す図である。図１３の例では、白色色度ばらつき範囲３００Ｂを複数の分割エリア５００に分ける際に、第１単位領域４００ａ〜第８単位領域４００ｈの８つの単位領域４００が一部重なるように配置されている。具体的には、第１単位領域４００ａが、第３単位領域４００ｃ及び第４単位領域４００ｄのそれぞれと重なっており、第２単位領域４００ｂが、第４単位領域４００ｄ及び第５単位領域４００ｅのそれぞれと重なっている。このように、２つの単位領域４００が重なっている場合には、その重なっている部分は、どちらか一方の単位領域４００に属するものとして、当該２つの単位領域４００についての分割エリア５００を決定する。図１４は、白色色度ばらつき範囲３００Ｂが、第１単位領域４００ａ〜第８単位領域４００ｈにそれぞれ対応する第１分割エリア５００ａ〜第８分割エリア５００ｈに分割されている様子を示す図である。
【００７０】
＜調整情報の生成方法＞
次に、調整情報の生成方法について説明する。本実施の形態に係る調整情報は、表示部３の動作を決定するための設定パラメータで構成されている。具体的には、調整情報は、表示部３でのＲ成分のγ特性、Ｇ成分のγ特性及びＢ成分のγ特性をそれぞれ決定する設定パラメータで構成されている。表示部３についての設定パラメータを調整することによって、それに対応する色成分のγ特性におけるγ値及び最高輝度を調整することができる。表示部３についての白色色度は、Ｒ成分、Ｇ成分及びＢ成分の最高輝度によって決定されることから、Ｒ成分、Ｇ成分及びＢ成分の設定パラメータを調整することによって、表示部３での白色色度を調整することができる。以後、この設定パラメータを「γ特性設定パラメータ」と呼ぶ。
【００７１】
図１５は、ランクＡの白色ＬＥＤ３２ａが使用された電子機器１００が使用する調整情報（Ｒ成分、Ｇ成分及びＢ成分のγ特性設定パラメータ）を生成する方法を説明するための図である。
【００７２】
図１５に示されるように、第１分割エリア５００ａ〜第６分割エリア５００ｆには、代表値５０１ａ〜５０１ｆがそれぞれ設定されている。以後、代表値５０１ａ〜５０１ｆを区別する必要がない場合には、それぞれを「代表値５０１」と呼ぶ。各分割エリア５００の代表値５０１は、当該分割エリア５００に対応する単位領域４００内から決定される。また、白色色度ばらつき範囲３００Ａ内には、ばらつき許容範囲６００が設定されている。そして、ばらつき許容範囲６００の中心値が、上述の目標値６０１となっている。
【００７３】
ここで、ばらつき許容範囲６００とは、各表示部３の白色色度の個体ばらつきが、この範囲内に入っていれば、第１表示部３ａ及び第２表示部３ｂに表示される白色の色度の差が目立たないとされる範囲であって、実験結果等によって定められている。なお、本実施の形態では、上述の単位領域４００のｘ方向の幅及びｙ方向の幅は、ばらつき許容範囲６００のｘ方向の幅及びｙ方向の幅とそれぞれ一致させている。
【００７４】
図１６は、白色色度ばらつき範囲３００Ｂについての複数の分割エリア５００のそれぞれに設定された代表値５０１と、白色色度ばらつき範囲３００Ｂに設定されたばらつき許容範囲６００及び目標値６０１を示す図である。図１６の例では、第１分割エリア５００ａ〜第８分割エリア５００ｈに対して代表値５０１ａ〜５０１ｈがそれぞれ設定されている。また図１６の例では、第４分割エリア５００ｄに対応する単位領域４００の大部分と、ばらつき許容範囲６００の大部分とが重なっており、第４分割エリア５００ｄに設定された代表値５０１ｄと目標値６０１とが一致している。
【００７５】
ある分割エリア５００に対応する調整情報については、当該分割エリア５００の代表値５０１と目標値６０１に基づいて生成される。以下に、代表値５０１と目標値６０１に基づいて調整情報を生成する方法について説明する。以下では、説明の対象となる分割エリア５００を「対象分割エリア５００」と呼ぶことがある。
【００７６】
対象分割エリア５００に対応する調整情報を求める際には、まず、表示部３の白色色度が、対象分割エリア５００の代表値５０１であるとした場合に、当該白色色度を目標値６０１に変更するために必要な、Ｒ成分、Ｇ成分及びＢ成分のそれぞれについての最高輝度の調整量を求める。そして、Ｒ成分の最高輝度が、それに対応する調整量だけ調整された後の値となるγ特性を表示部３が示すようなＲ成分のγ特性設定パラメータを求める。このとき、Ｒ成分のγ特性におけるγ値が変化しないようにγ特性設定パラメータを決定する。同様に、Ｇ成分の最高輝度が、それに対応する調整量だけ調整された後の値となるγ特性を表示部３が示すようなＧ成分のγ特性設定パラメータを求め、Ｂ成分の最高輝度が、それに対応する調整量だけ調整された後の値となるγ特性を表示部３が示すようなＢ成分のγ特性設定パラメータを求める。このとき、Ｇ成分及びＢ成分のそれぞれについて、γ特性におけるγ値が変化しないようにγ特性設定パラメータを決定する。このようにして、求められたＲ成分、Ｇ成分及びＢ成分のγ特性設定パラメータが、対象分割エリア５００に対応する調整情報となる。以下に、調整情報の生成方法についてさらに詳しく説明する。
【００７７】
図１７は、対象分割エリア５００に対応する調整情報を、対象分割エリア５００の代表値５０１と目標値６０１とに基づいて生成する方法を示すフローチャートである。
【００７８】
図１７に示されるように、ステップｓ５１において、代表値５０１及び目標値６０１のそれぞれについて、色度図でのｘ座標及びｙ座標を三刺激値Ｘ，Ｙ，Ｚに変換する。ｘ座標及びｙ座標と三刺激値Ｘ，Ｙ，Ｚとの関係は以下の式（１）〜（３）で表される。
【００７９】
Ｘ＝（ｘ／ｙ）×Ｌ  ・・・（１）
Ｙ＝Ｌ  ・・・（２）
Ｚ＝（（１−ｘ−ｙ）／ｙ）×Ｌ  ・・・（３）
次にステップｓ５２において、代表値５０１についての三刺激値Ｘ，Ｙ，ＺをＲＧＢ表色系のＲ値、Ｇ値及びＢ値に変換するとともに、目標値６０１についての三刺激値Ｘ，Ｙ，ＺをＲＧＢ表色系のＲ値、Ｇ値及びＢ値に変換する。ＲＧＢ表色系のＲ値、Ｇ値及びＢ値を、それぞれＲ１、Ｇ２及びＢ２とすると、三刺激値Ｘ，Ｙ，Ｚと、Ｒ１、Ｇ１及びＢ１との関係は以下の式（４）〜（６）で表される。
【００８０】
Ｒ１＝ｒｘ×Ｘ＋ｇｘ×Ｙ＋ｂｘ×Ｚ  ・・・（４）
Ｇ１＝ｒｙ×Ｘ＋ｇｙ×Ｙ＋ｂｙ×Ｚ  ・・・（５）
Ｂ１＝ｒｚ×Ｘ＋ｇｚ×Ｙ＋ｂｚ×Ｚ  ・・・（６）
ここで、ｒｘ、ｒｙ、ｒｚ、ｇｘ、ｇｙ、ｇｚ、ｂｘ、ｂｙ、ｂｚの係数は、表示部３の複数のサンプルについての、当該サンプルが表示する赤色の色度の測定値Ｒｍと、当該サンプルが表示する緑色の色度の測定値Ｇｍと、当該サンプルが表示する青色の色度の測定値Ｂｍとに基づいて定められる。
【００８１】
測定値Ｒｍの色度図におけるｘ座標及びｙ座標をそれぞれＲｍｘ及びＲｍｙとし、測定値Ｇｍの色度図におけるｘ座標及びｙ座標をそれぞれＧｍｘ及びＧｍｙとし、測定値Ｂｍの色度図におけるｘ座標及びｙ座標をそれぞれＢｍｘ及びＢｍｙとする。そして、Ｒｍｚ＝１−Ｒｍｘ−Ｒｍｙ、Ｇｍｚ＝１−Ｇｍｘ−Ｇｍｙ、Ｂｍｚ＝１−Ｂｍｘ−Ｂｍｙとする。本実施の形態では、ｒｘは複数のサンプルについてのＲｍｘの平均値、ｇｘは複数のサンプルについてのＧｍｘの平均値、ｂｘは複数のサンプルについてのＢｍｘの平均値とする。また、ｒｙは複数のサンプルについてのＲｍｙの平均値、ｇｙは複数のサンプルについてのＧｍｙの平均値、ｂｙは複数のサンプルについてのＢｍｙの平均値とする。そして、ｒｚは複数のサンプルについてのＲｍｚの平均値、ｇｚは複数のサンプルについてのＧｍｚの平均値、ｂｚは複数のサンプルについてのＢｍｚの平均値とする。
【００８２】
次にステップｓ５３において、代表値５０１及び目標値６０１についてのＲ値Ｒ１のそれぞれを、代表値５０１についてのＲ値Ｒ１で正規化する。つまり、代表値５０１及び目標値６０１についてのＲ値Ｒ１のそれぞれを、代表値５０１についてのＲ値Ｒ１で除算した値を１次正規化Ｒ値Ｒ２とする。
【００８３】
同様に、代表値５０１及び目標値６０１についてのＧ値Ｇ１のそれぞれを、代表値５０１についてのＧ値Ｇ１で除算した値を１次正規化Ｇ値Ｇ２とする。また、代表値５０１及び目標値６０１についてのＢ値Ｂ１のそれぞれを、代表値５０１についてのＢ値Ｂ１で除算した値を１次正規化Ｂ値Ｂ２とする。なお、代表値５０１についての１次正規化Ｒ値Ｒ２、１次正規化Ｇ値Ｇ２、１次正規化Ｂ値Ｂ２は、すべて“１”となる。
【００８４】
次にステップｓ５４において、代表値５０１についての１次正規化Ｒ値Ｒ２、１次正規化Ｇ値Ｇ２及び１次正規化Ｂ値Ｂ２のそれぞれを、それらのうちの最大値で正規化する。つまり、代表値５０１についての１次正規化Ｒ値Ｒ２、１次正規化Ｇ値Ｇ２及び１次正規化Ｂ値Ｂ２を、それらのうちの最大値で除算した値を、それぞれ２次正規化Ｒ値Ｒ３、２次正規化Ｇ値Ｇ３及び２正規化Ｂ値Ｂ３とする。
【００８５】
同様に、目標値６０１についての１次正規化Ｒ値Ｒ２、１次正規化Ｇ値Ｇ２及び１次正規化Ｂ値Ｂ２を、それらのうちの最大値で除算した値を、それぞれ２次正規化Ｒ値Ｒ３、２次正規化Ｇ値Ｇ３及び２正規化Ｂ値Ｂ３とする。なお、代表値５０１についての２次正規化Ｒ値Ｒ３、２次正規化Ｇ値Ｇ３及び２次正規化Ｂ値Ｂ３は、すべて“１”となる。
【００８６】
２次正規化Ｒ値Ｒ３、２次正規化Ｇ値Ｇ３及び２次正規化Ｂ値Ｂ３は表示部３の出力輝度に相当することから、次にステップｓ５５において、これらの値のそれぞれを、表示部３のγ特性のγ値に基づいて、表示部３の入力値に相当する値に変換する。具体的には、γ特性のγ値を“γ”で表すと、代表値５０１及び目標値６０１のそれぞれについて、Ｒ３(1/γ)、Ｇ３(1/γ)、Ｂ３(1/γ)を求める。以後、Ｒ３(1/γ)、Ｇ３(1/γ)、Ｂ３(1/γ)を、それぞれ入力Ｒ値Ｒ４、入力Ｇ値Ｇ４及び入力Ｂ値Ｂ４とする。なお、代表値５０１についての入力Ｒ値Ｒ４、入力Ｇ値Ｇ４及び入力Ｂ値Ｂ４は、すべて“１”となる。
【００８７】
次にステップｓ５６において、代表値５０１及び目標値６０１のそれぞれについて、入力Ｒ値Ｒ４、入力Ｇ値Ｇ４及び入力Ｂ値Ｂ４をデジタル値に変換する。本実施の形態では、制御部１０で生成されるデジタル形式の画素信号のＲ値、Ｇ値及びＢ値のそれぞれは、例えば８ビットで表現されている。ステップｓ５５においては、代表値５０１及び目標値６０１のそれぞれについて、入力Ｒ値Ｒ４、入力Ｇ値Ｇ４及び入力Ｂ値Ｂ４に対して“２５５”を乗算して得られる値を、それぞれデジタルＲ値Ｒ５、デジタルＧ値Ｇ５及びデジタルＢ値Ｂ５とする。なお、代表値５０１についてのデジタルＲ値Ｒ５、デジタルＧ値Ｇ５及びデジタルＢ値Ｂ５は、すべて“２５５”となる。
【００８８】
次にステップｓ５７において、代表値５０１及び目標値６０１についてのデジタルＲ値Ｒ５に基づいて、表示部３で表示される画素を構成するＲ成分の最高輝度の調整量αＲを求める。具体的には、代表値５０１についてのデジタルＲ値Ｒ５を“Ｒ５ｐ”とし、目標値６０１についてのデジタルＲ値Ｒ５を“Ｒ５ｔ”とすると、調整量αＲ（単位は％）は以下の式（７）で求められる。
【００８９】
αＲ＝１００×（（Ｒ５ｔ／Ｒ５ｐ）−１）  ・・・（７）
代表値５０１についてのデジタルＲ値Ｒ５は“２５５”であるため、式（７）は結局は以下の式（８）となる。
【００９０】
αＲ＝１００×（（Ｒ５ｔ／２５５）−１）  ・・・（８）
同様にして、ステップｓ５６においては、代表値５０１及び目標値６０１についてのデジタル値Ｇ５に基づいて、表示部３で表示される画素を構成するＧ成分の最高輝度の調整量αＧを求めるとともに、代表値５０１及び目標値６０１についてのデジタルＢ値Ｂ５に基づいて、表示部３で表示される画素を構成するＢ成分の最高輝度の調整量αＢを求める。
【００９１】
次にステップｓ５８において、Ｒ成分の最高輝度が調整量αＲだけ調整された後の値となるγ特性を表示部３が示すようなＲ成分のγ特性設定パラメータを求める。また、Ｇ成分の最高輝度が調整量αＧだけ調整された後の値となるγ特性を表示部３が示すようなＧ成分のγ特性設定パラメータを求める。そして、Ｂ成分の最高輝度が調整量αＢだけ調整された後の値となるγ特性を表示部３が示すようなＢ成分のγ特性設定パラメータを求める。
【００９２】
ここで、Ｒ成分、Ｇ成分及びＢ成分のうちのある色成分に注目し、当該ある色成分を注目色成分と呼ぶと、表示部３に入力される画素信号を構成する、注目色成分のデジタル値をＶｉｎとし、表示部３での注目色成分の輝度（単位はｃｄ／ｍ2）をＶｏｕｔとすると、ＶｉｎとＶｏｕｔとの関係を以下の式（９）で表すことができる。
【００９３】
Ｖｏｕｔ＝β×Ｖｉｎγ  ・・・（９）
ただし、係数βは、表示部３に入力される、注目色成分のデジタル値を、輝度の単位に変換するためのものである。
【００９４】
式（９）から明らかなように、注目色成分のγ特性は係数β及びγ値によって決定され、注目色成分についてのγ特性設定パラメータは係数β及びγ値となる。本実施の形態では、注目色成分についてのγ特性設定パラメータを構成する係数β及びγ値のうち、γ値はそのままで係数βを調整することによって、注目色成分の最高輝度が、ステップｓ５７で求められた調整量だけ調整された後の値となるγ特性を表示部３が示すような注目色成分のγ特性設定パラメータを求める。これにより、注目色成分のγ特性におけるγ値が変化しないようにγ特性設定パラメータが決定される。
【００９５】
例えば、Ｒ成分についてのγ特性設定パラメータの係数βを調整する前の値をβ１とし、当該係数βを調整した後の値をβ２とすると、β２は、調整量αＲを用いて以下の式（１０）で表される。
【００９６】
β２＝β１×（１００＋αＲ）／１００  ・・・（１０）
本実施の形態では、式（１０）で表されるβ２とγ値とが、Ｒ成分の最高輝度が調整量αＲだけ調整された後の値となるγ特性を表示部３が示すようなＲ成分のγ特性設定パラメータとなる。Ｇ成分及びＢ成分のそれぞれのγ特性設定パラメータについても、同様にして求められる。
【００９７】
このようにして求められた、Ｒ成分、Ｇ成分及びＢ成分についてのγ特性設定パラメータが、対象分割エリア５００に対応する調整情報となる。
【００９８】
図１８は、ステップｓ５１〜ｓ５７で求められる各値の数値例を示す図である。図１８の例では、対象分割エリア５００の代表値５０１のｘ座標及びｙ座標は、それぞれ“０．３０８”及び“０．３１０”となっており、目標値６０１のｘ座標及びｙ座標は、それぞれ“０．３４５”及び“０．３５２”となっている。また、上述の係数ｒｘ，ｒｙ，ｒｚ，ｇｘ，ｇｙ，ｇｚ，ｂｘ，ｂｙ，ｂｚについては、ｒｘ＝０．６４５、ｒｙ＝０．３２３、ｒｚ＝０．００３２、ｇｘ＝０．３２３、ｇｙ＝０．６４３、ｇｚ＝０．０３４、ｂｘ＝０．１４４、ｂｙ＝０．０８２、ｂｚ＝０．７７４となっている。そして、γ＝２．２となっている。
【００９９】
図１８に示されるように、表示部３についての白色色度が色度図において仮に座標（０．３０８，０．３１０）に位置する場合、当該表示部３において、Ｒ成分の最高輝度を変化させず、Ｇ成分の最高輝度を４％低減し、Ｂ成分の最高輝度を２０％低減すると、当該表示部３についての白色色度が、色度図において座標（０．３４５，０．３５２）に位置する目標値と一致するようになる。
【０１００】
図１９は図１８に示される調整量αＲを用いてＲ成分の最高輝度が調整される様子を示す図である。図２０は図１８に示される調整量αＧを用いてＧ成分の最高輝度が調整される様子を示す図である。図２１は図１８に示される調整量αＢを用いてＢ成分の最高輝度が調整される様子を示す図である。
【０１０１】
図１９〜２２では、Ｒ成分、Ｇ成分及びＢ成分についての調整前のγ特性７００及び調整後のγ特性７０１が実線及び波線でそれぞれ示されている。図１９〜２２では、横軸が、制御部１０から表示制御部３３に入力される色値（８ビットデータを１０進数表記した値）を示し、縦軸は輝度を示している。また、図１９〜２１の例では、調整前の最高輝度が例えば３００ｃｄ／ｍ2となっている。なお、Ｒ成分についての調整量αＲは０％であるため、調整前のγ特性７００と、調整後のγ特性７０１とは重なって示されている。
【０１０２】
図１８に示されるように、調整量αＧ＝−４％であることから、図２０に示されるように、Ｇ成分の最高輝度、つまりＧ値＝２５５のときのＧ成分の輝度は、３００ｃｄ／ｍ2から２８８ｃｄ／ｍ2に減少している。また、図１８に示されるように、調整量αＢ＝−２０％であることから、図２１に示されるように、Ｂ成分の最高輝度、つまりＢ値＝２５５のときのＢ成分の輝度は、３００ｃｄ／ｍ2から２０４ｃｄ／ｍ2に減少している。Ｇ成分についてのγ特性設定パラメータは、Ｇ成分のγ特性が、最高輝度が調整された後のγ特性７０１（図２０の波線）となるように決定され、Ｂ成分についてのγ特性設定パラメータは、Ｂ成分のγ特性が、最高輝度が調整された後のγ特性７０１（図２１の波線）となるように決定される。このとき、最高輝度を調整した後のγ特性のγ値が、最高輝度を調整する前のγ特性のγ値から変化しないようにする。これにより、複数の表示部３についての白色色度の調整によって、当該複数の表示部３が表示する他の色の色度の差が大きくなることを抑制できる。なお、図１８の例の場合には、図１９に示されるように、Ｒ成分についてのγ特性は変化しないことになる。
【０１０３】
以上のようにして、本実施の形態では、各分割エリア５００について、その代表値５０１と目標値６０１とに基づいて、それに対応する調整情報（各色成分についてのγ特性設定パラメータ）が求められる。
【０１０４】
そして、本実施の形態では、上述のように、表示部３についての白色色度の測定値が、ある分割エリア５００に属する場合に、当該分割エリア５００に対応する調整情報に基づいて、表示部３の白色色度が目標値６０１に近づくように調整される。このとき、本実施の形態では、調整後の白色色度が、ばらつき許容範囲６００内に収まるようになっている。つまり、表示部３の白色色度の測定値が、ある分割エリア５００のどの位置に存在したとしても、当該分割エリア５００に対応する調整情報に基づいて表示部３の白色色度を調整することによって、調整後の白色色度が、ばらつき許容範囲６００内に収まるようになっている。言い換えれば、表示部３の白色色度の測定値が、ある分割エリア５００のどの位置に存在したとしても、当該分割エリア５００に対応するγ特性設定パラメータに基づいて表示制御部３３が液晶表示パネル３０を制御することよって、表示部３の白色色度が、ばらつき許容範囲６００内に収まるようになっている。
【０１０５】
本実施の形態では、白色色度ばらつき領域に対して複数の分割エリア５００を適宜決定するとともに、当該複数の分割エリア５００のそれぞれに対して代表値５０１を適宜決定することによって、調整後の白色色度が、ばらつき許容範囲６００内に収まるようにしている。言い換えれば、調整後の白色色度が、ばらつき許容範囲６００内に収まるように、白色色度ばらつき範囲に対して複数の分割エリア５００及びそれらの代表値５０１を設定している。
【０１０６】
図２２は、上述の図１５の例のように、白色色度ばらつき範囲３００Ａに対して、第１分割エリア５００ａ〜第６分割エリア５００ｆ、代表値５０１ａ〜５０１ｆ、目標値６０１を設定した場合の各分割エリア５００に対応する調整量αＲ，αＧ，αＢを示す図である。図２２には、各代表値５０１のｘ座標及びｙ座標と、各分割エリア５００に対応する単位領域４００のｘ方向の範囲及びｙ方向の範囲が示されている。図１５に示される目標値６０１のｘ座標及びｙ座標はそれぞれ“０．３０９”及び“０．３５４”であって、ばらつき許容範囲６００のｘ方向の幅及びｙ方向の幅はそれぞれ“０．００６”及び“０．００８”である。図１５に示される例では、図２２に示される調整量αＲ，αＧ，αＢに基づいて、各分割エリア５００について、Ｒ成分、Ｇ成分及びＢ成分のγ特性設定パラメータが決定される。
【０１０７】
図２３は、上述の図１６の例のように、白色色度ばらつき範囲３００Ｂに対して、第１分割エリア５００ａ〜第８分割エリア５００ｈ、代表値５０１ａ〜５０１ｈ、目標値６０１を設定した場合の各分割エリア５００に対応する調整量αＲ，αＧ，αＢを示す図である。図２３には、図２２と同様に、各代表値５０１のｘ座標及びｙ座標と、各分割エリア５００に対応する単位領域４００のｘ方向の範囲及びｙ方向の範囲が示されている。図１６に示される目標値６０１のｘ座標及びｙ座標はそれぞれ“０．３０３”及び“０．３４２”であって、ばらつき許容範囲６００のｘ方向の幅及びｙ方向の幅はそれぞれ“０．００６”及び“０．００９”である。図１６に示される例では、図２３に示される調整量αＲ，αＧ，αＢに基づいて、各分割エリア５００について、Ｒ成分、Ｇ成分及びＢ成分のγ特性設定パラメータが決定される。
【０１０８】
以上のように、本実施の形態では、複数の表示部３が表示する、バックライト３２の色と同じ色についての色度のそれぞれを、目標値６０１に近づくように調整しているため、複数の表示部３が表示する、バックライト３２の色と同じ色についての色度の差を低減することができる。よって、ユーザが、バックライト３２の色と同じ色を表示する複数の表示画面４を同時に見た際に当該ユーザに与える違和感を低減することができる。
【０１０９】
また、本実施の形態では、表示部３でのγ値が変化しないように、当該表示部３が表示する、バックライト３２の色と同じ色についての色度を調整するため、この調整処理によって、複数の表示部３が表示する他の色についての色度の差が大きくなることを抑制できる。
【０１１０】
＜第１変形例＞
上述の実施の形態では、複数の表示部３についての白色色度の測定値が互いに同じ分割エリア５００に属する場合であっても、各表示部３の白色色度が目標値に近づくように調整されるようになっている。複数の表示部３についての白色色度の測定値が互いに同じ分割エリア５００に属する場合には、それらの間では白色色度の差は小さいため、この場合には、各表示部３の白色色度を調整しなくても良い。これにより、表示部３の白色色度の調整処理が簡素化される。
【０１１１】
＜第２変形例＞
上述の実施の形態では、図８のステップｓ３において、予め準備されている調整情報に基づいて表示部３についての白色色度を調整したが、ステップｓ３においては、ステップｓ１，ｓ２で得られる、各表示部３についての白色色度の測定値に基づいて、当該表示部３の白色色度を目標値６０１に近づけるための調整情報を生成しても良い。以下に、本変形例におけるステップｓ３での処理について説明する。
【０１１２】
本変形例に係るステップｓ３では、ステップｓ１で得られた、第１表示部３ａについての白色色度の測定値と、目標値６０１とに基づいて、第１表示部３ａの白色色度を調整するための調整情報を生成する。具体的には、ステップｓ３において、上述の図１７に示される、調整情報を生成する一連の処理を、代表値５０１の替わりに第１表示部３ａについての白色色度の測定値を使用して実行する。これにより、ステップｓ３では、第１表示部３ａの白色色度を目標値６０１に変更するような調整情報、つまり、第１表示部３ａの白色色度が目標値６０１となるような、Ｒ成分、Ｇ成分及びＢ成分のγ特性設定パラメータが生成される。
【０１１３】
同様にして、ステップｓ３において、上述の図１７に示される、調整情報を生成する一連の処理を、代表値５０１の替わりに、ステップｓ２で得られた、第２表示部３ｂについての白色色度の測定値を使用して実行する。これにより、ステップｓ３では、第２表示部３ｂの白色色度を目標値６０１に変更するような調整情報、つまり、第２表示部３ｂの白色色度が目標値６０１となるような、Ｒ成分、Ｇ成分及びＢ成分のγ特性設定パラメータが生成される。
【０１１４】
以上のような調整情報の生成処理は、電子機器１００に接続されたコンピュータで行っても良いし、電子機器１００内で行っても良い。前者の場合には、コンピュータで生成された、各表示部３についての調整情報が、当該コンピュータによって電子機器１００の記憶部１２に記憶され、電子機器１００では、各表示部３での表示が、当該表示部３に対応する調整情報に基づいて制御される。一方で、後者の場合には、ステップｓ１，ｓ２で取得された、各表示部３についての白色色度の測定値が、電子機器１００の記憶部１２に記憶される。そして、各表示部３の色度を調整する調整部として機能する制御部１０は、記憶部１２に記憶された測定値に基づいて、各表示部３についての調整情報を生成する。その後、電子機器１００では、各表示部３での表示が、当該表示部３に対応する調整情報に基づいて制御される。
【０１１５】
このように、各表示部３についての白色色度の測定値に基づいて調整情報を生成することによって、各表示部３の白色色度を目標値６０１により正確に近づけることができる。よって、複数の表示部３が表示する、バックライト３２の色と同じ色についての色度の差をさらに低減することができる。
【０１１６】
一方で、上述の実施の形態のように、白色色度ばらつき範囲を複数の分割エリア５００に分割し、各分割エリア５００に対して調整情報を準備することによって、表示部３についての白色色度を調整するたびに調整情報を生成する必要がなくことから、調整処理が簡素化される。
【０１１７】
なお、電子機器１００において各表示部３についての調整情報を生成する場合には、表示部３の白色色度の実際の測定値を電子機器１００に入力する代わりに、表示部３の白色色度がとり得る可能性のある複数の値をそれぞれ候補値として、電子機器１００の記憶部１２に予め記憶しておいて、ユーザが、表示部３の表示画面４を操作することによって、複数の候補値から、表示部３の白色色度の値と思われる候補値を選択できるようにしても良い。この場合には、ユーザによって選択された、表示部３の白色色度についての候補値が、当該表示部３についての実際の測定値の代わりに使用されて、当該表示部３についての調整情報が生成されることになる。
【０１１８】
また、上述の図１１に示される例においても、ステップｓ３７において、表示部３の白色色度の実際の測定値を電子機器１００に入力する代わりに、表示部３の白色色度がとり得る可能性のある複数の値をそれぞれ候補値として、電子機器１００の記憶部１２に予め記憶しておいて、ユーザが、表示部３の表示画面４を操作することによって、複数の候補値から、表示部３の白色色度の値と思われる候補値を選択できるようにしても良い。この場合には、ユーザによって選択された、表示部３の白色色度についての候補値が、ステップｓ３８において、当該表示部３についての実際の測定値の代わりに使用されて、当該候補値が属する分割エリアが特定される。そして、その後のステップｓ３６では、ステップｓ３８で特定された分割エリアに対応する調整情報に基づいて、当該表示部３の表示が制御されるようになる。
【０１１９】
このように、各表示部３の白色色度について、実際の測定値の代わりになるような値をユーザが選択する場合であっても、複数の表示部３の白色色度の差を低減することができる。
【０１２０】
＜その他の変形例＞
上述の実施の形態に係る電子機器１００は、２つの表示部３を備える携帯電話機であったが、３つ以上の表示部３を備えて、当該３つ以上の表示部３の表示画面４が同時に視認可能となるような態様で使用される電子機器であっても良い。このような、３つ以上の表示部３を備える電子機器１００であっても、当該３つ以上の表示部３が表示する、バックライト３２の色と同じ色についての色度のそれぞれを、上述のようにして、目標値に近づくように調整することによって、当該３つ以上の表示部３が表示する、バックライト３２の色と同じ色についての色度の差を低減することができる。
【０１２１】
また、上述の実施の形態では、バックライト３２が発光する色は白色であったが、他の色であっても良い。
【０１２２】
また、上述の実施の形態では、本願発明を携帯電話機に適用する場合を例にあげて説明したが、本願発明は携帯電話機以外の電子機器にも適用することができる。例えば、本願発明は、ゲーム機、ノート型のパーソナルコンピュータ、電子ブック、ナビゲーションシステム、音楽プレーヤなどに適用することができる。
【符号の説明】
【０１２３】
３  表示部
３ａ  第１表示部
３ｂ  第２表示部
４ａ  第１表示画面
４ｂ  第２表示画面
１０  制御部
１２  記憶部
３２  バックライト
１００  電子機器
【図１】
2012150269.tif 000003
【図２】
2012150269.tif 000004
【図３】
2012150269.tif 000005
【図４】
2012150269.tif 000006
【図５】
2012150269.tif 000007
【図６】
2012150269.tif 000008
【図７】
2012150269.tif 000009
【図８】
2012150269.tif 000010
【図９】
2012150269.tif 000011
【図１０】
2012150269.tif 000012
【図１１】
2012150269.tif 000013
【図１２】
2012150269.tif 000014
【図１３】
2012150269.tif 000015
【図１４】
2012150269.tif 000016
【図１５】
2012150269.tif 000017
【図１６】
2012150269.tif 000018
【図１７】
2012150269.tif 000019
【図１８】
2012150269.tif 000020
【図１９】
2012150269.tif 000021
【図２０】
2012150269.tif 000022
【図２１】
2012150269.tif 000023
【図２２】
2012150269.tif 000024
【図２３】
2012150269.tif 000025